(57)【要約】【課題】簡単な構成により操作ボックスの運搬作業を伴うことなく操作ボックスに対する操作を防音ボックスの内と外で使い分けること。【解決手段】防音ボックス１００は、側壁部１に設けられた開口部１３と、鉛直軸回りに回動操作し得るよう開口部１３に取着され、側壁部１の内側に位置する格納モードと側壁部１の外側に引き出された引出モードの２つのモードを選択可能な可動箱体５とを備え、可動箱体５は、操作パネル６が取り付けられる操作パネル取付面５１と開口部１３を塞いで側壁部１の一部を形成可能な側壁形成面５２とを有し、かつ、格納モード時には、側壁形成面５２が開口部１３を塞いで側壁部１の一部を構成し、また、引出モード時には、操作パネル取付面５１が側壁部１の外側に露出し、防音ボックス１００の外側から操作パネル６を操作可能に構成される。【選択図】図１
2006247719.tif 000002
【特許請求の範囲】
【請求項１】
プレス機を内部に収容するとともに作業者用の出入りドアを備えるプレス機の防音ボックスにおいて、
側壁部に設けられた開口部と、鉛直軸回りに回動操作し得るよう前記開口部に取着され、前記側壁部の内側に位置する格納モードと前記側壁部の外側に引き出された引出モードの２つのモードを選択可能な可動箱体とを備え、
前記可動箱体は、操作パネルが取り付けられる操作パネル取付面と前記開口部を塞いで前記側壁部の一部を形成可能な側壁形成面とを有し、かつ、
前記格納モード時には、前記側壁形成面が前記開口部を塞いで前記側壁部の一部を構成し、また、前記引出モード時には、前記操作パネル取付面が前記側壁部の外側に露出し、当該防音ボックスの外側から前記操作パネルを操作可能に構成される
ことを特徴とするプレス機の防音ボックス。
【発明の詳細な説明】
【技術分野】
【０００１】
本発明は、プレス機を内部に収容しプレス機が発した騒音を遮断もしくは吸収し外部に拡散させないための防音ボックスに関する。
【背景技術】
【０００２】
従来からのプレス機の防音ボックスは、プレス機を内部に収容し、作業者用の出入りドアを備える構造のものが一般的である。
【０００３】
そして、プレス機本体とは別体で可動式の操作ボックスを操作してプレス機を運転する場合、通常、作業者は防音ボックスの外で、運転前の準備として運転状態の設定操作と運転開始にあたり回転数、プリセットカウンタ等の設定などの操作を行い、また、防音ボックスの内で、プレス機の本体側に取り付けられている運転ボタンを操作して金型材料を通すための作業を行う。その際、異常が検出されたとき、その表示の確認、解除、再起動させるため、一度、操作ボックスまで移動し、確認後、再操作していた。なお、本発明者らにより先行技術を調査したところ、特許文献１，２を見つけた。
【特許文献１】特開平８−２１５８９８号公報
【特許文献２】特開平６−３５４７９号公報
【発明の開示】
【発明が解決しようとする課題】
【０００４】
しかし、上記のように操作ボックスに対する操作を防音ボックスの内と外で使い分けることは、防音ボックスの出入りドアを開閉操作して、操作ボックスを防音ボックスの外側から内側へ移動させたり、あるいは内側から外側へ移動させる運搬作業が必要となり、作業者に煩雑な作業を強いることになる。
【０００５】
本発明は、上記のような従来技術の問題点を解決し、簡単な構成により操作ボックスの運搬作業を伴うことなく操作ボックスに対する操作を防音ボックスの内と外で使い分けることができる防音ボックスを提供することを目的とする。
【課題を解決するための手段】
【０００６】
本発明のプレス機の防音ボックスは、プレス機を内部に収容するとともに作業者用の出入りドアを備えるプレス機の防音ボックスにおいて、側壁部に設けられた開口部と、鉛直軸回りに回動操作し得るよう前記開口部に取着され、前記側壁部の内側に位置する格納モードと前記側壁部の外側に引き出された引出モードの２つのモードを選択可能な可動箱体とを備え、前記可動箱体は、操作パネルが取り付けられる操作パネル取付面と前記開口部を塞いで前記側壁部の一部を形成可能な側壁形成面とを有し、かつ、前記格納モード時には、前記側壁形成面が前記開口部を塞いで前記側壁部の一部を構成し、また、前記引出モード時には、前記操作パネル取付面が前記側壁部の外側に露出し、当該防音ボックスの外側から前記操作パネルを操作可能に構成されることを特徴とする。
【０００７】
本発明の防音ボックスによると、格納モード時には、防音ボックスの騒音拡散防止機能を確保しながら防音ボックスの内部において操作パネルを操作することができ、また、引出モード時には、従来のように操作ボックスを防音ボックスの外側に移動させなくても防音ボックスの外側で操作パネルを操作することができるようになる。
【発明を実施するための最良の形態】
【０００８】
以下、本発明の実施形態を図面に基づいて説明する。
【０００９】
図１は、本発明の一実施形態に係る防音ボックスの水平断面図、図２は、同防音ボックスの正面図、図３は、同防音ボックスの右側面図、図４は、可動箱体の平面図、図５は、同可動箱体の正面図、図６は、同可動箱体の左側面図をそれぞれ示す。
【００１０】
図１〜図６において、防音ボックス１００の内部には、プレス機２００が配置される。防音ボックス１００は、筒状の側壁部１と、この側壁部１の上端開口部を塞ぐ天井部２とを備える。側壁部１の正面部１１には、開口部１１aが形成されており、この開口部１１aに、作業者用の出入りドア３が開閉自在に取着されている。
【００１１】
側壁部１において正面部１１と一方の側面部１２との間のコーナー部には、開口部１３が設けられている。開口部１３には、蝶番４を介して可動箱体５が鉛直軸回りに回動操作し得るよう取着されている。可動箱体５は、側壁部１の内側に位置する格納モード（図１において実線で示した状態に対応する。）と側壁部１の外側に引き出された引出モード（図１において二点鎖線で示した状態に対応する。）の２つのモードを選択可能に構成される。可動箱体５は、操作パネル６が取り付けられた操作パネル取付面５１と、開口部１３を塞いで側壁部１の一部を形成可能な側壁形成面５２とを有する。側壁形成面５２は、断面円弧状に形成されている。可動箱体５の格納モード時には、側壁形成面５２が開口部１３を塞いで側壁部１の一部を構成し、また、引出モード時には、操作パネル取付面５１が側壁部１の外側に露出し、防音ボックス１００の外側から操作パネル６を操作可能に構成される。
【００１２】
可動箱体５の格納モード時には、作業者は、防音ボックス１００の内部において操作パネル６を操作することができる。その際の作業者による操作としては、例えば、金型に材料を通す作業中に、異常が検出されたとき、その表示の確認と、異常原因を処理後、再起動させる操作を行う。
【００１３】
また、可動箱体５の引出モード時には、作業者は、防音ボックス１００の外側において操作ボックス６を操作することができる。その際の作業者による操作としては、例えば、運転前の準備として、運転状態の設定操作と、運転開始にあたり、回転数、プリセットカウンタ等の設定操作を行う。
【００１４】
以上説明したように、本実施形態に係る防音ボックス１００は、プレス機２００を内部に収容するとともに作業者用の出入りドア３を備えるプレス機の防音ボックス１００において、側壁部１に設けられた開口部１３と、鉛直軸回りに回動操作し得るよう開口部１３に取着され、側壁部１の内側に位置する格納モードと側壁部１の外側に引き出された引出モードの２つのモードを選択可能な可動箱体５とを備え、可動箱体５は、操作パネル６が取り付けられる操作パネル取付面５１と開口部１３を塞いで側壁部１の一部を形成可能な側壁形成面５２とを有し、かつ、格納モード時には、側壁形成面５２が開口部１３を塞いで側壁部１の一部を構成し、また、引出モード時には、操作パネル取付面５１が側壁部１の外側に露出し、防音ボックス１００の外側から操作パネル６を操作可能に構成される。
【００１５】
本実施形態の防音ボックス１００によると、格納モード時には、防音ボックス１００の騒音拡散防止機能を確保しながら防音ボックス１００の内部において操作パネル６を操作することができ、また、引出モード時には、従来のように操作ボックスを防音ボックス１００の外側に移動させなくても防音ボックス１００の外側で操作パネル６を操作することができるようになる。
【図面の簡単な説明】
【００１６】
【図１】本発明の一実施形態に係る防音ボックスの水平断面図である。
【図２】同防音ボックスの正面図である。
【図３】同防音ボックスの右側面図である。
【図４】可動箱体の平面図である。
【図５】同可動箱体の正面図である。
【図６】同可動箱体の左側面図である。
【符号の説明】
【００１７】
１００    防音ボックス
２００    プレス機
１    側壁部
１３    開口部
３    出入りドア
５    可動箱体
５１    操作パネル取付面
５２    側壁形成面
６    操作パネル
【図１】
2006247719.tif 000003
【図２】
2006247719.tif 000004
【図３】
2006247719.tif 000005
【図４】
2006247719.tif 000006
【図５】
2006247719.tif 000007
【図６】
2006247719.tif 000008